(57)【特許請求の範囲】
【請求項１】
脚柱の上端に固定した基枠に、上部に背凭れを備える背凭れ枠の下部を後方へ回動可能に保持し、背凭れの回動と連動して、上部に座席を備える座席受体を基枠に対して前後に摺動させるようにした椅子において、
前記座席受体は、その前部に左右方向の軸を備え、その後方において前記座席受体には、前記背凭れ枠の前部が、左右方向を向く軸により連結されており、かつ前記基枠の上面前後に、左右方向を向く２組のＵ溝を設けるとともに、前記基枠上に、座席受体と背凭れ枠とを組み付けたアセンブリを乗せ、前記基枠における前後のＵ溝に、前記アセンブリにおける座席受体の左右方向を向く軸と、同じく背凭れ枠の前部における左右方向を向く軸をそれぞれ嵌合させ、さらに、その上から、前記の基枠の上面と接合する取付板を組みこんで、基枠と前記アセンブリとを組み付け、もって基枠と座席受体とを、摺動可能に連結したことを特徴とする椅子の座席と背凭れの傾動装置。
【請求項２】
基枠の上面の前後のＵ溝に、それぞれＵ字状の下部軸受を組み込み、その基枠の上に、座席受体と背凭れ枠とを組み付けたアセンブリを乗せ、さらに前記前後２本の軸を上部から被う上部軸受を、前記の下部軸受の上に合わせて置き、その上から取付板をねじ止めすることにより、基枠と前記アセンブリとを組み付けたことを特徴とする、請求項１記載の椅子の座席と背凭れの傾動装置。
【発明の詳細な説明】
【０００１】
【産業上の利用分野】
本発明は、執務姿勢から安楽姿勢までに亘って快適に座ることができるとともに、組立容易な構造とした、椅子の座席と背凭れの傾動装置に関する。
【０００２】
【従来の技術】
従来の椅子の座席と背凭れの傾動装置としては、例えば、特公平２ー２４５２７号公報に記載のものがある。
特公平２−２４５２７号公報に記載のものは、基枠の後部に背凭れの前部を軸
で連結し、背凭れに座席の後部を軸で連結するとともに、座席の前部に保持した水平軸を、基枠の前部に設けたほぼ水平な長穴に摺動可能に連結して、座席の前部に座席の傾斜運動の支点を設定し、背凭れの回動のロックを解いて、背凭れに凭れ掛かると、背凭れは、座席の後部を下方に引き下げながら後ろに回動し、これに伴って座席は後方に引っ張られ、座席の前部の水平軸が、基枠の長孔に沿って後方に移動し、この時、座席が、移動している前部の水平軸を支点として下向きに傾くようにして、座席の前端がほとんど上昇することなく、足の浮き上がりを防止するようにした椅子である。
【０００３】
【発明が解決しようとする課題】
上記の特公平２ー２４５２７号公報記載の椅子では、基枠、座席受体、及び背凭れ枠を、組立時に、左右方向の軸で接続していくが、複数の部品に軸を通し、かつ、軸に抜け止めのための止め輪等を取り付けるため、組立に時間が掛かっていた。
本発明の目的は、上記の問題点に鑑み、組立の簡単な椅子の座席と背凭れの傾動装置を提供することである。
【０００４】
【課題を解決するための手段】
本発明では、上記目的を達成するために、次のような手段を採用している。
(１)  脚柱の上端に固定した基枠に、上部に背凭れを備える背凭れ枠の下部を後方へ回動可能に保持し、背凭れの回動と連動して、上部に座席を備える座席受体を基枠に対して前後に摺動させるようにした椅子において、前記座席受体は、その前部に左右方向の軸を備え、その後方において前記座席受体には、前記背凭れ枠の前部が、左右方向を向く軸により連結されており、かつ前記基枠の上面前後に、左右方向を向く２組のＵ溝を設けるとともに、前記基枠上に、座席受体と背凭れ枠とを組み付けたアセンブリを乗せ、前記基枠における前後のＵ溝に、前記アセンブリにおける座席受体の左右方向を向く軸と、同じく背凭れ枠の前部における左右方向を向く軸をそれぞれ嵌合させ、さらに、その上から、前記の基枠の上面と接合する取付板を組みこんで、基枠と前記アセンブリとを組み付け、もって基枠と座席受体とを、摺動可能に連結する。
【０００５】
(２)  前項において、基枠の上面の前後のＵ溝に、それぞれＵ字状の下部軸受を組み込み、その基枠の上に、座席受体と背凭れ枠とを組み付けたアセンブリを乗せ、さらに前記前後２本の軸を上部から被う上部軸受を、前記の下部軸受の上に合わせて置き、その上から取付板をねじ止めすることにより、基枠と前記アセンブリとを組み付ける。
【０００６】
【作用】
予め、座席受体と背凭れ枠を組み付け、かつ軸も取り付けておいてから、一方の基枠には、上面の前後に左右方向を向く２組のＵ溝を設けておくことにより、基枠の上に、座席受体と背凭れ枠とを組み付けたアセンブリを乗せて、組み立てるから、組立を極めて簡単に行える。
また、軸を、複数の部品（複数の側壁を持っている。）の横から貫通させて、止め輪を嵌める等の面倒な組み立ては不要となる。基枠のＵ溝や軸の上に、下部軸受や上部軸受を置くことは簡単な作業である。
【０００７】
強度を必要とする基枠は、アルミダイカスト等で成形し、軸受には、潤滑性の良い材料を使用する等、適切な材料の使い分けが可能であり、コスト上も有利である。
【０００８】
【実施例】
本発明の実施例を、図１から図６を用いて説明する。
図において、(２)は、椅子の脚部であり、その複数の先端部(通常は４から５個)にはキャスタ(４)を取付けて、着座したまま床上を移動可能としてある。(６)は、脚部(２)に立てて固定された脚柱で、その内部に、公知のガススプリング(８)を収容してあり、ガススプリング(８)を操作することにより、脚柱(６)の上端部の高さ即ち座席の高さを調節可能とし、任意の高さで固定することができるようになっている。
ガススプリング(８)の操作は、その端部にあるプッシュバルブ(10)を、ケーブル(12)およびレバー(14)を介して押すことにより行われる。
【０００９】
(16)は基枠で、脚柱(６)の上端(ガススプリング(８)の上端)に固定されており、
全体として上方に開いた箱形をしている。この基枠(16)の形状、構造に本発明の特徴があり、基枠(16)に対する座席受体や背凭れ枠の組立てを、極めて容易なものとしている。
【００１０】
基枠(16)の左右側壁の上面には、左右方向を向く軸を保持するための前後２組のＵ溝が設けられている。
その１組は、基枠(16)の後ろ上部に設けられたＵ溝(18)（図５）であり、断面Ｕ字状の下部軸受(20)、上部軸受(22)、基枠(16)の上面と接合する取付板(24)とともに軸を回動可能に保持している。他の１組のＵ溝(26)は、基枠(16)の前部に設けられた、前上から後ろ下方に斜めに伸びる溝であって、２個の下部軸受(28)、２個の上部軸受(29)、取付板(24)とともに、軸(32)を、前上から後ろ下方の斜めに摺動可能に保持している。
【００１１】
(30)は背凭れ枠で、横から見て、おおよそ前向Ｌ字状に曲がっており、その上部に、図示しない背凭れを固定し、かつ下側先端部には、左右方向の軸(32)が固定されている。軸(32)を基枠(16)の後ろ上部に設けられたＵ溝(18)に保持させることによって、背凭れ枠(30)は、これを支点とし、基枠(16)に対して後方に回動(傾動)可能となっている。
背凭れ枠(30)の下部の前後方向の中頃には、左右外側に突き出る１対の軸部(68)が設けられている。
【００１２】
(34)はガススプリングで、その両端部は、基枠(16)の後下部の孔(36)に左右方向に挿入された軸(38)と、背凭れ枠(30)の下側後端部(曲がり角部)の孔(40)に左右方向に貫通された軸(42)とにより、回動可能に保持されて、背凭れ枠(30)の基枠(16)に対する回動による後方への傾きを調節可能とし、任意の角度で固定することができるようになっている。
ガススプリング(34)の操作は、その端部にあるプッシュバルブ(44)を、ケーブル(46)およびレバー(48)を介して押すことにより行われる。
【００１３】
(50)は座席受体で、その上部に図示しない座席を備えている。この座席受体(50)は、背凭れ枠(30)の後方への回動と連動して、後ろに移動しながら後ろに傾く運動をする。座席受体(50)にこの運動をさせるために、基枠(16)と背凭れ枠(30)と座席受体(50)との間には、３つの連結部がある。以下順を追って説明する。
【００１４】
座席受体(50)の後部の下方と後方とは開口しており、この座席受体(50)の後部の対向する左右側壁の内側には、互いに対向する左右１対の軸受体(52)(54)が取り付けられている。座席受体(50)の後部の対向する左右側壁には、前後に２組の孔(56)(58)があけられ、軸受体(52)(54)の外側面より突出するようにして設けた前後の軸(60)(62)を、それぞれ孔(56)と(58)に嵌合することにより、座席受体(50)に左右１対の軸受体(52)(54)を取り付けてある。
【００１５】
座席受体(50)は、形が複雑であり強度を必要とするために、例えばアルミダイカスト等で作られ、軸受体(52)(54)は、軸保持の潤滑性を必要とするために、合成樹脂等で成形して組まれている。
【００１６】
軸受体(52)(54)の相対する内側面の前部には、後ろ側が下に傾いて下方に開口する１対の長溝(64)が、同じく後部には、後ろ側が上に傾いて斜め上方に開口する１対の長溝(66)が設けられている。
【００１７】
組立順序としては、まず座席受体(50)に軸受体(52)(54)を組み込んだ後、それに背凭れ枠(30)を組み込む。その場合、軸受体(52)(54)の前部の１対の長溝(64)には、背凭れ枠(30)の下側先端部に固定された左右方向の軸(32)が嵌め込まれ、後部にある１対の長溝(66)には、背凭れ枠(30)の下側中頃に左右外側に突き出る１対の軸部(68)が嵌まる。
背凭れ枠(30)の下部にあるこれらの前後の軸は、それぞれ、軸受体(52)(54)の２対の長溝(64)(66)に摺動自在に保持されて、図６における連結部(Ａ)(Ｃ)を形成する。連結部(Ａ)の軸(32)は、基枠(16)に組み立てられて、背凭れ枠(30)の回動の支点にもなることは、すでに述べた。
【００１８】
また、座席受体(50)の前部には、左右方向の軸(70)が固定されている。
座席受体(50)と背凭れ枠(30)のアッセンブリを、基枠(16)に対し組むために  載せると、座席受体(50)の前部の軸(70)は、基枠(16)の前部のＵ溝(26)に嵌合し、中央部にある座席受体(50)と背凭れ枠(30)のアッセンブリの連結部(Ａ)の軸(32)は、基枠(16)の後ろ上部にあるＵ溝(18)に嵌合する。なお、Ｕ溝(18)及びＵ溝(26)には、前もって下部軸受(20)(28)(28)が嵌められている。
【００１９】
ついで、上部軸受(22)(29)(29)および取付板(24)を載せて、基枠(16)にビス止めすれば、基枠(16)、座席受体(50)と背凭れ枠(30)のアッセンブリができる。この状態で、座席受体(50)の前部の軸(70)は、基枠(16)の前部のＵ溝(26)に摺動可能に保持されて、第３の連結部(図６の連結部(Ｂ))となる。
なお、連結部(Ａ)(Ｂ)はともに、座席受体(50)を、基枠(16)に対し前上から後ろ下へ斜めに摺動するように保持するが、その摺動方向の傾斜角度は、連結部(Ｂ)の方が連結部(Ａ)よりも小さく設定されている。
【００２０】
上述のように、基枠(16)と背凭れ枠(30)と座席受体(50)との間に、３つの連結部(Ａ)(Ｂ)(Ｃ)を設けたことにより、次のような作用と効果が生じる。
【００２１】
第１に、座席は、背凭れに対して着座者の骨盤の近傍（図６のＰ点）を中心に後ろに回転することになり、この座席と背凭れの相対的な動きは、着座者の大腿部と背中との相対的な動きに極めて近いものとなる。そのため、執務姿勢から安楽姿勢に至る間で、背中の動きと背凭れの動きにずれが生じることがなく、着座者のシャツがまくれることがない。座り心地も良好である。
【００２２】
また、座席と背凭れが連続している椅子でも、座席と背凭れの間でクッション材や表皮材に伸縮の負荷が加わらない。背凭れの後ろへの回動時の伸縮の負荷によるクッション材や表皮材の傷みもなくなる。
【００２３】
第２に、足の運動を見た場合に、座席の運動中心は、着座者の足の踝の位置に近づいており（図６のＱ点）、足の踝を中心とする大腿部の後方への傾きながらの移動に近づくから、膝から下の下腿部の上方への引っ張りもほとんどなくなって、膝の折り曲げ角度も拡がり、座り心地は快適である。
【００２４】
座席受体(50)の軸(70)よりも前の個所には、背凭れの傾動緩衝装置が組み込まれている。
(72)は、前後方向を向き左右に離して設けた１対の圧縮ばねであり、その前後端は、前部ばね受体(74)及び後部ばね受体(76)で保持されている。後部ばね受体(76)は、基枠(16)の前壁に保持されている。前部ばね受体(74)は、その左右方向の中央に、下方に開口する開口部(78)を有している。
【００２５】
座席受体(50)の前部を前面から見た断面は、上方が開口するコの字形をしており、その左右側壁と底壁の内面により、前部ばね受体(74)の側面と底面とは、前後に摺動可能に保持されている。
【００２６】
座席受体(50)は、その前端部に直立する前壁(80)を有し、その前壁(80)と前部ばね受体(74)とにより前後を挟まれたくさび形調整片(82)を設けてある。くさび形調整片(82)は、その前面を座席受体(50)の前壁(80)により上下に摺動可能に保持されている。前部ばね受体(74)と、くさび形調整片(82)との合わせ面は、前下から後ろ上方向を向く斜面である。
【００２７】
前部ばね受体(74)とくさび形調整片(82)とは、くさび機構を構成しており、くさび形調整片(82)を下方に移動させると、前部ばね受体(74)は圧縮ばね(72)の付勢力に抗して後方に移動し、くさび形調整片(82)を上方に移動させると、前部ばね受体(74)は圧縮ばね(72)の付勢力により前方に移動する。
【００２８】
くさび形調整片(82)は、前部ばね受体(74)の開口部(78)を通って後方に伸びるアーム部(84)を有し、そのアーム部(84)の後端には、上下に貫通する雌ねじ(86)があけられ、この雌ねじ(86)に、くさび形調整片(82)を上下に操作するためのハンドル(88)の雄ねじ(90)が嵌合されている。ハンドル(88)の雄ねじ(90)の位置は、上から見て、１対の圧縮ばね(72)の間にある。
【００２９】
座席受体(50)は、ハンドル(88)を保持するため、その前部底壁に前方の小径孔
と後方の大径孔とを連設した段付き孔(92)を有している。ハンドル(88)の軸部には、段付き孔(92)の大径孔よりは小径で、小径孔よりは大径の、上下に離れた１対のつば(94)と、その１対のつば(94)の間に段付き孔(92)の小径孔より小径の軸部(96)と、軸部の先端側に前述の雄ねじ(90)とが設けられている。
【００３０】
座席受体(50)に対するハンドル(88)の組立は、ハンドル(88)の軸部を段付き孔(92)の大径孔に下方から挿入し、横にずらして、１対のつば(94)が座席受体(50)の底壁を上下から挟み、つば(94)の間の軸部(96)を、小径孔に嵌合させればよく、それにより、ハンドル(88)を座席受体(50)に回動可能に保持させることができる。
【００３１】
上記のように構成された背凭れの傾動緩衝装置の機能は、次の通りである。
１対の圧縮ばね(72)は、後端を基枠(16)の前壁に保持されて、くさび機構を介して座席受体(50)を前方に付勢している。
座席受体(50)は、背凭れ枠(30)に対し連結部(Ｃ)により前後方向の動きを連結されているから、圧縮ばね(72)の付勢力は、座席受体(50)を介して、背凭れ枠(30)に対しその傾きを前方に起こすように働き、ガススプリング(34)のガス圧とともに、背凭れを後方へ傾動させる時の抵抗力即ち緩衝力として働く。但し、ガススプリング(34)のガス圧は一定であるから、緩衝力を調整できるものは圧縮ばね(72)の力のみであり、圧縮ばね(72)の力を、くさび機構とハンドル(88)との操作により調整する。
【００３２】
【発明の効果】
本発明は、上記の構成としたことにより、次の効果を発揮する。
基枠の上面の前後に、左右方向に向く２組のＵ溝を設けてあるため、最初に、座席受体と背凭れ枠を組み、軸も取り付けてから、基枠の上に座席受体と背凭れ枠とを組み付けたアセンブリを乗せて、組み立てることができ、組立を極めて簡単に行える。
そのため、軸を複数の部品（複数の側壁を持っている。）の横から貫通させて、
止め輪を嵌める等の面倒な組み立ては不要となる。
【図面の簡単な説明】
【図１】本発明の実施例である椅子の執務状態の縦断側面図である。
【図２】図１に示す椅子の安楽状態の縦断側面図である。
【図３】図１に示す椅子の要部の拡大縦断側面図である。
【図４】図１に示す椅子の要部の拡大平面図である。
【図５】図１に示す椅子の要部の分解斜視図である。
【図６】図１に示す椅子の背凭れの傾動時における各部の運動説明図である。
【符号の説明】
(６)脚柱
(16)基枠
(18)(26)Ｕ溝
(20)(28)下部軸受
(22)(29)上部軸受
(24)取付板
(30)背凭れ枠
(32)背凭れ枠の軸
(50)座席受体
(70)座席受体の前部の軸
【図１】
0003584412.tif 000002
【図２】
0003584412.tif 000003
【図３】
0003584412.tif 000004
【図４】
0003584412.tif 000005
【図５】
0003584412.tif 000006
【図６】
0003584412.tif 000007